(57)【要約】【課題】構造が簡単で弁の開閉状態を容易に視認可能な弁の開度表示装置を提供する。また、既存の弁にも簡単に取付け使用可能な弁開度表示装置の提供を目的とする。【解決手段】弁の開閉操作に伴い軸方向に移動する弁棒２１の先端２３近傍、又は該弁棒２１の先端部２３に取付けられた棒状体１２に固着された表示体１１と、該弁棒２１及び該表示体１１、又は該弁棒２１及び該棒状体１２及び該表示体１１を覆うように弁本体２に取付けられた該表示体１１を視認可能な透明なカバー１３と、を備える弁開度表示装置１であって、該表示体１１は、円柱形状を有し、該円柱の半径方向が該弁棒２１の軸線又は該棒状体１２の軸線に直交するように固着され、該カバー１３は、少なくとも弁が全閉及び全開となったとき、該表示体１１が位置する位置に全閉及び全開を示す表示部３６、３７を有する。【選択図】図１
2007263145.tif 000002
【特許請求の範囲】
【請求項１】
弁の開閉操作に伴い軸方向に移動する弁棒の先端近傍、又は該弁棒の先端部に取付けられた棒状体に固着された表示体と、該弁棒及び該表示体、又は該弁棒及び該棒状体及び該表示体を覆うように弁本体に取付けられた該表示体を視認可能な透明なカバーと、を備える弁開度表示装置であって、
該表示体は、円柱形状を有し、該円柱の半径方向が該弁棒の軸線又は該棒状体の軸線に直交するように固着され、
該カバーは、少なくとも弁が全閉及び全開となったとき、該表示体が位置する位置に全閉及び全開を示す表示部を有することを特徴とする弁開度表示装置。
【請求項２】
弁の開閉操作に伴い軸方向に移動する弁棒の先端近傍、又は該弁棒の先端部に取付けられた棒状体に固着された表示体と、該弁棒及び該表示体、又は該弁棒及び該棒状体及び該表示体を覆うように弁本体に取付けられた該表示体を視認可能な透明なカバーと、を備える弁開度表示装置であって、
該表示体は、円柱又は円盤の形状を有し、該円柱又は該円盤の半径方向が該弁棒の軸線又は該棒状体の軸線に直交するように固着され、該円柱又は該円盤の上面部及び／又は底面部が、円周方向に２色の色彩で交互に彩色され、
該カバーは、少なくとも弁が全閉及び全開となったとき、該表示体が位置する位置に全閉及び全開を示す表示部を有することを特徴とする弁開度表示装置。
【請求項３】
前記表示体は、側面部が円周方向に２色の色彩で交互に彩色されていることを特徴とする請求項１に記載の弁開度表示装置。
【請求項４】
さらに前記表示体は、前記表示体の上面部及び／又は底面部が円周方向に２色の色彩で交互に彩色され、上面部及び／又は底面部の２色の色彩と側面部の２色の色彩とは同色であって、上面部及び／又は底面部の彩色の順番と側面部の彩色の順番とは逆であり、前記表示体を斜め上又は斜め下から見たとき、上面部及び／又は底面部の色彩と側面部の色彩とが重なって見えないことを特徴とする請求項３に記載の弁開度表示装置。
【請求項５】
円周方向に交互に施された前記２色の色彩は、前記円柱又は前記円盤の円の中心点を通る直線で、前記円柱又は前記円盤を４〜８等分した各領域に交互に異なる色彩を施すことを特徴とする請求項２から４のいずれか１に記載の弁開度表示装置。
【請求項６】
前記２色の色彩は、赤色と白色又は黒色と黄色の組み合わせであることを特徴とする請求項２から５のいずれか１に記載の弁開度表示装置。
【請求項７】
弁の開閉操作に伴い軸方向に移動する弁棒の先端近傍、又は該弁棒の先端部に取付けられた棒状体に固着された表示体と、該弁棒及び該表示体、又は該弁棒及び該棒状体及び該表示体を覆うように弁本体に取付けられた該表示体を視認可能な透明なカバーと、を備える弁開度表示装置であって、
該表示体は、円柱の形状を有し、該表示体の側面部には赤色又は黒色の彩色が施され、
該カバーには、弁が全閉及び全開となったとき該表示体の側面部が位置する位置と同じ位置に、該表示体の側面部が赤のときは白色、該表示体の側面部が黒色のときは黄色の円周方向に一定の間隔を持った彩色が施されていることを特徴とする弁開度表示装置。
【発明の詳細な説明】
【技術分野】
【０００１】
本発明は、弁の開閉操作に伴い軸方向に移動する弁棒を備える弁の開度を表示する弁開度表示装置に関する。
【背景技術】
【０００２】
弁は、水道管、ガス管を始め、工場、排水処理場など配管途中に配設され使用されており、形状、機能等が異なる多くの種類のものが開発、販売されていることは周知のところである。弁には、弁の開閉操作に伴い、弁棒が軸線方向に移動する外ねじ式のものと、弁棒が軸線方向に移動しない内ねじ式のものとがある。さらに外ねじ式の弁には、ハンドルと一体となって軸線方向に移動する型式の弁と、ハンドルは軸線方向に移動することなく弁棒のみ軸線方向に移動する型式の弁がある。また自動弁にあっても、弁棒のみが軸線方向に移動する型式のものもある。
【０００３】
これらのうち、弁棒のみが軸線方向に移動する外ねじ式の弁の中には、弁棒にカバーが取付けられたものもある。このタイプの弁のうち、カバーに弁の開度を表示する目盛が設けられ、かつカバーが透明材で形成されている弁にあっては、弁棒又は弁棒の上端に指針を取付け、これを視認することで弁の開度を知ることができる（例えば特許文献１、非特許文献１参照）。
【０００４】
ところで、近年、発電所、工場などでは、従来手動で操作していた弁も業務の省力化等により遠隔自動化が進められており、中央制御室など遠隔地から弁の開閉を行うことが可能となっている。これら遠隔操作が可能な弁は、その開閉状態を確認する手段として、一般的にはリミットスイッチが取付けられ、これにより例えば全開、中間開度、全閉の状態を知ることができるようになっている。しかしながら、リミットスイッチは電気機器であり、誤動作をすることもあるので、弁の開閉状態を誤認したときに設備に大きな影響を与えるような重要な弁については、弁の開閉状態をリミットスイッチの表示に頼らず、弁棒の位置又は弁棒に連動して動く開度表示装置をテレビカメラ等で撮影し、モニタを通じて確認されている。
【特許文献１】特開２０００−１９９５８０号公報
【非特許文献１】http://www.asahiav.com/Manual_Valves/?Keyword=03
【発明の開示】
【発明が解決しようとする課題】
【０００５】
特許文献１、非特許文献１の技術は、至近距離からの視認を前提としており、離れた場所又はテレビカメラを介して視認する場合は、弁の開閉状態を確認しにくい。また、上記の遠隔操作弁の開度表示装置も基本的な構成は、非特許文献１の技術に類似しており、テレビカメラを介した弁開度の確認が容易とは言えない。一般にカバーは円形の形状を有し、アクリルなど透明な樹脂で形成されていることが多いため、光の加減によっては弁の開閉状態を容易に確認できない場合もある。特に弁の開閉状態をテレビカメラを通じて確認するケースでは、テレビカメラの位置が固定されているので、弁の開閉状態の確認がより困難となる。これらのことから、離れた場所又はテレビカメラを介しての視認であっても、弁の開閉状態を容易に確認することができる弁の開度表示装置の開発が待たれている。
【０００６】
本発明の目的は、構造が簡単で弁の開閉状態を容易に視認可能な弁開度表示装置を提供することである。また、既存の弁にも簡単に取付け使用可能な弁開度表示装置の提供を目的とする。
【課題を解決するための手段】
【０００７】
本発明は、弁の開閉操作に伴い軸方向に移動する弁棒の先端近傍、又は該弁棒の先端部に取付けられた棒状体に固着された表示体と、該弁棒及び該表示体、又は該弁棒及び該棒状体及び該表示体を覆うように弁本体に取付けられた該表示体を視認可能な透明なカバーと、を備える弁開度表示装置であって、
該表示体は、円柱形状を有し、該円柱の半径方向が該弁棒の軸線又は該棒状体の軸線に直交するように固着され、
該カバーは、少なくとも弁が全閉及び全開となったとき、該表示体が位置する位置に全閉及び全開を示す表示部を有することを特徴とする弁開度表示装置である。
【０００８】
また、本発明は、弁の開閉操作に伴い軸方向に移動する弁棒の先端近傍、又は該弁棒の先端部に取付けられた棒状体に固着された表示体と、該弁棒及び該表示体、又は該弁棒及び該棒状体及び該表示体を覆うように弁本体に取付けられた該表示体を視認可能な透明なカバーと、を備える弁開度表示装置であって、
該表示体は、円柱又は円盤の形状を有し、該円柱又は該円盤の半径方向が該弁棒の軸線又は該棒状体の軸線に直交するように固着され、該円柱又は該円盤の上面部及び／又は底面部が、円周方向に２色の色彩で交互に彩色され、
該カバーは、少なくとも弁が全閉及び全開となったとき、該表示体が位置する位置に全閉及び全開を示す表示部を有することを特徴とする弁開度表示装置である。
【０００９】
また、本発明で、前記表示体は、側面部が円周方向に２色の色彩で交互に彩色されていることを特徴とする請求項１に記載の弁開度表示装置である。
【００１０】
また、本発明で、さらに前記表示体は、前記表示体の上面部及び／又は底面部が円周方向に２色の色彩で交互に彩色され、上面部及び／又は底面部の２色の色彩と側面部の２色の色彩とは同色であって、上面部及び／又は底面部の彩色の順番と側面部の彩色の順番とは逆であり、前記表示体を斜め上又は斜め下から見たとき、上面部及び／又は底面部の色彩と側面部の色彩とが重なって見えないことを特徴とする請求項３に記載の弁開度表示装置である。
【００１１】
また本発明で、円周方向に交互に施された前記２色の色彩は、前記円柱又は前記円盤の円の中心点を通る直線で、前記円柱又は前記円盤を４〜８等分した各領域に交互に異なる色彩を施すことを特徴とする請求項２から４のいずれか１に記載の弁開度表示装置である。
【００１２】
また本発明で、前記２色の色彩は、赤色と白色又は黒色と黄色の組み合わせであることを特徴とする請求項２から５のいずれか１に記載の弁開度表示装置である。
【００１３】
また本発明は、弁の開閉操作に伴い軸方向に移動する弁棒の先端近傍、又は該弁棒の先端部に取付けられた棒状体に固着された表示体と、該弁棒及び該表示体、又は該弁棒及び該棒状体及び該表示体を覆うように弁本体に取付けられた該表示体を視認可能な透明なカバーと、を備える弁開度表示装置であって、
該表示体は、円柱の形状を有し、該表示体の側面部には赤色又は黒色の彩色が施され、
該カバーには、弁が全閉及び全開となったとき該表示体の側面部が位置する位置と同じ位置に、該表示体の側面部が赤のときは白色、該表示体の側面部が黒色のときは黄色の円周方向に一定の間隔を持った彩色が施されていることを特徴とする弁開度表示装置である。
【発明の効果】
【００１４】
本発明の弁開度表示装置は、弁の開閉操作に伴い軸方向に移動する弁棒の先端近傍、又は弁棒の先端部に取付けられた棒状体に固着された表示体と、弁棒及び表示体、又は弁棒及び棒状体及び表示体を覆うように弁本体に取付けられた表示体を視認可能な透明なカバーと、を備え、表示体は、円柱形状を有し、円柱の半径方向が弁棒の軸線又は棒状体の軸線に直交するように固着され、カバーは、少なくとも弁が全閉及び全開となったとき、表示体が位置する位置に全閉及び全開を示す表示を有するので、弁の開閉を容易に確認することができる。特に表示体が円柱形状であるので、表示体は、曲面状の側面部と平面状の上面部及び底面部とを備える。これにより、光の加減で表示体の側面部が見えにくいときは上面部及び／又は底面部で、上面部及び／又は底面部が見えにくいときは側面部で表示体の位置を視認することが可能となり、弁の開閉状態を容易に確認することができる。
【００１５】
また、弁の型式によっては、弁棒の先端部が、弁箱の中に入り込む弁もある。そのような弁にあっては弁棒に直接、表示体を取付けると表示体が外れるなどの不具合が生じるが、本発明の弁開閉表示装置では、表示体は、弁棒の先端部に取付けられた棒状体に固着することも可能であるので、これにより不具合を解消することができる。このことから、多種の弁に使用することができる。さらに本発明の弁開度表示装置は、構造が簡単であり、既存の弁にも容易に取付け使用することができる。
【００１６】
また本発明の弁開度表示装置は、弁の開閉操作に伴い軸方向に移動する弁棒の先端近傍、又は弁棒の先端部に取付けられた棒状体に固着された表示体と、弁棒及び表示体、又は弁棒及び棒状体及び表示体を覆うように弁本体に取付けられた表示体を視認可能な透明なカバーと、を備え、表示体は、円柱又は円盤の形状を有し、円柱又は円盤の半径方向が弁棒の軸線又は棒状体の軸線に直交するように固着され、円柱又は円盤の上面部及び／又は底面部が、円周方向に２色の色彩で交互に彩色され、カバーは、少なくとも弁が全閉及び全開となったとき、表示体が位置する位置に全閉及び全開を示す表示部を有するので、弁の開閉を容易に確認することができる。特に表示体の上面部及び／又は底面部が円周方向に２色の色彩で交互に彩色されているので、周囲の物と区別がつけやすく、弁の開閉状態を、テレビカメラを通して視認する場合であっても容易に確認することができる。また表示体の底面部に、円周方向に２色の色彩を交互に施すことで、斜め上に位置する弁であっても弁の開閉を容易に確認することができる。
【００１７】
また本発明によれば、表示体は、円柱形状であり、側面部が円周方向に２色の色彩で交互に彩色されているので、さらに表示体の位置を確認しやすくなる。特に光の加減で上面部及び／又は底面部を視認しにくい場合に効果的である。
【００１８】
また本発明の弁開度表示装置の表示体は、円柱形状であり、表示体の上面部及び／又は底面部、及び側面部が円周方向に２色の色彩で交互に彩色され、上面部及び／又は底面部の２色の色彩と側面部の２色の色彩とは同色であって、上面部及び／又は底面部の彩色の順番と側面部の彩色の順番は逆であり、円柱を斜め上又は斜め下から見たとき、上面部又は底面部の色彩と側面部の色彩とが重なって見えないので、周囲の物と区別がつけやすく、弁の開閉状態を、テレビカメラを通して視認する場合であっても容易に確認することができる。特に、光がカバーに反射し全体的に表示体を見にくいような場合であっても、上面部、底面部又は側面部のいずれか１面、あるいは上面部と側面部、又は底面部と側面部との境界を視認することができる。これにより弁の開閉を確実に確認することができる。
【００１９】
また本発明の弁開度表示装置の表示体は、円周方向に交互に施された２色の色彩が、円柱又は円盤の円の中心点を通る直線で円柱又は円盤を４〜８等分した各領域に交互に施されているので、円周方向のどの角度からでも弁の開閉を容易に確認することができる。
【００２０】
また本発明の弁開度表示装置の表示体に施す２色の色彩は、赤色と白色又は黒色と黄色の組合せであるので、遠く離れた位置からでも弁の開閉状態を確認することができる。特にこのように色を組合せることで、白黒のテレビカメラ又はモニタを通じて弁の開閉状態を確認する場合であっても、周囲の物と表示体とを明確に区別することができる。
【００２１】
また本発明の弁開度表示装置は、弁の開閉操作に伴い軸方向に移動する弁棒の先端近傍、又は弁棒の先端部に取付けられた棒状体に固着された表示体と、表示体を視認可能な弁棒及び表示体、又は弁棒及び棒状体及び表示体を覆うように弁本体に取付けられた透明なカバーと、を備え、表示体は、円柱の形状を有し、円柱の側面部には赤色又は黒色の彩色が施され、カバーは、弁が全閉及び全開となったとき表示体の側面部が位置する位置と同じ位置に、表示体の側面部が赤のときは白色、表示体の側面部が黒色のときは黄色の円周方向に一定の間隔を持った彩色が施されているので、弁が全閉又は全開になったときは、カバーの色彩と表示体の色彩とが重なり、離れた位置から表示体を視認すると側面部が２色の色で区分けされているように見える。これにより離れた位置、又はテレビカメラを通して表示体を視認する場合であっても、周囲の物との区別が容易となり弁の開閉状態を容易に確認することができる。
【発明を実施するための最良の形態】
【００２２】
図１は、本発明の第一実施形態としての弁開度表示装置１を自動弁２に取付けた状態を示す斜視図である。図２は、本発明の第一実施形態としての弁開度表示装置１の表示体１１の取付け方法を説明するための図である。図３は、本発明の第一実施形態としての弁開度表示装置１のカバー１３の斜視図であって、自動弁２から取外した状態を示す図である。
【００２３】
弁開度表示装置１は、弁の開度を表示する表示体１１、表示体１１を支持する支持棒１２、及び表示体１１、支持棒１２、自動弁２の弁棒２１を覆うように自動弁２に取付けられたカバー１３を主に構成されている。自動弁２は、従来からある外ねじ式の自動弁と同様の構成を有し、外部からの信号により図示を省略した電動モータが弁棒２１を駆動することで弁が開閉する。なお、ここで示す自動弁２は、弁の開閉操作に伴い、弁棒２１が弁蓋（弁本体）２２の内部に入り込むタイプの自動弁である。
【００２４】
表示体１１は、プラスチック製で円柱の形状を有し、表面全体に視認が容易なように赤色など目立つ色が施されている。支持棒１２には、長手方向にねじ１４が設けられており、一端に表示体１１を有し、他端は弁棒２１の先端２３に固着されている。表示体１１には円中心部を貫通するように貫通孔（図示を省略）が穿設されており、表示体１１を支持棒１２に固着するときは、支持棒１２に表示体１１の位置を決めるためのナット１６を取付け、上部から表示体１１を支持棒１２に挿入し、固定用のナット１７で表示体１１を固定する。支持棒１２の弁棒２１への固着は、弁棒２１の先端２３に雌ねじを設け、支持棒１２のネジ１４をこれに螺合することで行う。
【００２５】
カバー１３は、パイプ形状のカバー本体３１を有し、カバー本体３１の上端には蓋３２が施され、カバー本体下部には内部が開口した鍔３３が固着されている。さらに鍔３３には、開口部に合致する大きさのガイドパイプ３４が取付けられている。このガイドパイプ３４を弁蓋２２と弁棒２１との隙間に嵌め入れることで、カバー本体３１を自動弁２に固定することができる。カバー本体３１は、透明な材質で形成され、外部からでもカバー本体３１を通して内部の表示体１１を視認することができる。カバー本体３１としては、アクリル材、透明塩ビ材からなるパイプが例示される。さらにカバー本体３１の上部と下部には、弁の全開及び全閉位置を示す開表示部３６、閉表示部３７が施されている。
【００２６】
本発明の弁開度表示装置１の基本的構成は、従来の外ねじ式の弁に装着された弁開度表示装置の構成と類似するものの、本発明の弁開度表示装置１は、表示体１１が円柱である点に特徴を有する。従来の弁開度表示装置に使用されている表示体は、円盤形状のものが一般的である。これは従来の弁開度表示装置は、比較的近い場所から弁開度を確認することを前提としていたことによるものと推察される。円盤形状の表示体であっては、円の大きさを大きくしても円盤に平行な目線から表示体を視認すると、表示体の厚さが薄いので、離れた場所、又はテレビカメラを介しての表示体の確認は容易ではない。また、表示体を斜め上又は斜め下から視認する場合であっても、光の加減によって、カバーに光が反射すると表示体の確認が困難となる。
【００２７】
これに対して本発明の表示体１１は、円柱の形状を有するので、表示体１１を表示体に平行な位置から視認する場合であっても、表示体１１に厚みがあるので、離れた場所又はテレビカメラを介しての確認であっても表示体１１の位置の確認が容易となる。また、本発明の表示体１１は、円柱の形状を有することから、平面状の上面部１８及び底面部１９、曲面状の側面部２０を有する。これにより、表示体１１を斜め上又は斜め下から視認する場合であって、光の加減によって、表示体１１の上面部１８又は底面部１９を視認しにくいときでも、表示体１１の上面部１８と側面部２０とでは光の当たり方が異なるので、表示体１１の側面部２０、又は側面部２０と上面部１８、又は側面部２０と底面部１９との境界を確認することができる。特にテレビカメラを通じて視認するときのように、視線が固定されている場合は、効果的である。
【００２８】
上記本実施形態では、表示体１１と弁棒２１との固定を、棒状の支持棒１２を介して行っている例を示しているけれども、これは前述のように弁の開閉操作に伴い、特に弁が閉まるとき弁棒２１の先端２３が弁蓋（弁本体）２２の内部に入り込むので、弁棒２１の先端２３に直接、表示体１１を取付けることができないことによる。よって、後述のように弁棒２１の先端２３が、弁の開閉操作に伴い弁蓋（弁本体）２２の中に入り込まないタイプの弁にあっては、弁棒２１の先端２３に表示体１１を固定してもよい。また、表示体１１の材質もプラスチックに限定されることなく、金属製であってもよい。さらに表示体１１は、内部が中空であっても、中実であってもよい。また、表示体１１、カバー１３の取付け方向も上記方法に限定されるものではない。
【００２９】
図４、図５、及び図６は、本発明の第一実施形態の弁開度表示装置１の表示体１１の第一、第二、及び第三変形例を示す図である。図１及び図２で示した表示体１１は、円柱形状に特徴があったけれども、図４、図５、図６に示す表示体は、色彩、又は色彩及び形状に特徴を有する。図１から図３と同一の部分、部材には、同一の符号を付して詳細な説明を省略する。
【００３０】
図４に示す第一変形例としての表示体４１は、従来の表示体と同様、円盤形状の表示体であるが、従来の表示体と異なり、色彩に特徴を有する。上面部１８は、円の中心点を通る２本の直線４２、４３で４等分され、各領域４４、４５、４６、４７に２色の色が交互に施されている。領域４４と領域４６とが同色であり、領域４５と領域４７とが同色である。円盤形状の表示体４１は、表示体を水平方向から視認する場合のみならず、斜め上、斜め下から視認する場合であっても、光の加減で表示体を視認しにくいことがあることは前述の通りであるが、第一変形例の表示体４１では、上面部１８を２色の色彩で交互に配色するので、従来の表示体に比較して表示体４１が目立ちやすく表示体の視認が容易となる。
【００３１】
表示体４１に施す２色の色彩は、特に限定されないけれども、周囲にない色彩であって目立つ色の組み合わせが好ましい。さらにテレビカメラ、特に白黒のモニタを介して視認する場合であっても、容易に色が異なることを見分けられる色彩の組み合わせであることが好ましい。具体的には、赤と白、黄と黒の組み合わせが好ましい。また、色を施す領域の数も４つに限定されるものではない。適宜選択することができるけれども、区分数が少なすぎると、後述のように表示体の側面部に色彩を施す場合は、視認する位置によっては一色の色しか確認できない場合もあり、好ましいとは言えない。一方で、区分の数を多くしすぎると、離れた場所から見たとき、一色にしか見えないこともあり好ましいとは言えない。これらのことから４〜８等分された領域が好ましい。
【００３２】
図５に示す第二変形例としての表示体５１は、第一実施形態の表示体１１と同様、円柱の形状を有するものの、側面部２０に交互に施された２色の色彩を有する点が異なる。側面部２０は６等分され、各領域５２、５４に赤色が、領域５３、５５に白色が施されている。円柱形状の表示体５１の側面部２０に交互に色彩を施すことで、表示体５１の視認がより容易となる。
【００３３】
図６に示す第三変形例としての表示体６１は、第一実施形態の表示体１１、図５に示す第二変形例としての表示体５１と同様、円柱の形状を有する。第三変形例としての表示体６１は、上面部１８及び側面部２０に各々交互に異なる色彩が施されている点に特徴を有する。表示体６１は、円の中心を通る４直線の直線６２、６３、６４、６５で８等分された各領域に色彩が施されている。上面部１８の領域６６、６８、７０、７２には赤色が、領域６７、６９、７１、７３には白色が施されている。同様に側面部２０にも、領域７４、７６に赤色が、領域７５、７７に白色が施されている。上面部１８の色彩の順番と側面部２０の色彩の順番とは逆に施されており、表示体６１を斜め上から見たとき上面部１８の色彩と側面部２０の色彩とが重ならないように工夫されている。これにより、表示体６１の視認をさらに容易に行うことができる。
【００３４】
図４から図６に示す表示体４１、５１、６１の中心部には、第一実施形態に示す表示体１１と同様、支持棒１２に固定するための貫通孔４８、５８、７８が穿設されている。第一変形例及び第三変形例に示す表示体４１、６１では、上面部１８に２色の色彩を交互に施す例を示したけれども、底面部１９に２色の色彩を交互に施してもよく、さらには上面部１８と底面部１９の両方に、２色の色彩を交互に施してもよいことは当然である。底面部１９に２色の色彩を交互に施すことで、表示体４１、６１を斜め下から視認するときに表示体４１、６１の確認を容易に行うことができる。
【００３５】
図７は、本発明の第一実施形態としての弁開度表示装置１のカバーの変形例を示す側面図である。図１から図６と同一の部分、部材には、同一の符号を付して詳細な説明を省略する。図７に示すカバー８１は、第一実施形態に示すカバー１３と同一の形状、構造を有するが、カバー本体３１の表面に施された弁の全開位置、全閉位置を示す開表示部８２、閉表示部８３が異なる。第一実施形態に示すカバー本体３１には、全開の位置を表示する開表示部３６に、開を表すＯなる文字と円周方向の一部にテープが、全閉の位置を表示する閉表示部３７に、閉を表すＳなる文字と円周方向の一部にテープが施されている。これに対して、変形例としてのカバー８１では、全開の位置を表示する開表示部８２に、開を表すＯなる文字と円周方向全体に一定の間隔で帯状の色彩を有するテープ８４が施されている。同様に、全閉の位置を表示する閉表示部８３には、閉を表すＳなる文字と円周方向全体に一定の間隔で帯状の色彩を有するテープ８５が施されている。
【００３６】
カバー８１をこのように構成し、表示体に第一実施形態に示したように一色からなる円柱状の表示体１１を使用することで、弁が開閉操作され、表示体１１が全開又は全閉の位置８２、８３に来たとき、カバー本体３１に施された一定間隔の帯状のテープ８４、８５と表示体１１との色彩が重なり、縞状に見える。これにより、表示体１１を２色の色彩で交互に塗り分けた効果と同様の効果を得ることができる。カバー８１に施された帯状のテープ８４、８５の色彩と表示体１１との色彩の組合せを、赤色と白色、又は黄色と黒色にすればより好ましい。また、カバー８１に施された帯状のテープ８４、８５の間隔を、円周方向を４から８等分した区分の一区分の大きさとすればさらに好ましい。
【００３７】
図８は本発明の第二実施形態としての弁開閉表示装置１０１を外ねじ式の仕切弁１０２に取付けた状態を示す側面図である。なお、ここに示す外ねじ式の仕切弁１０２は、ハンドル１０３が弁棒２１と一緒に上下することのない型式の従来からある仕切弁である。なお、図１から図７と同一の部分には同一の符号を付して詳細な説明を省略する。第二実施形態に示す弁開度表示装置１０１は、第一実施形態に示す弁開度表示装置１と同様、表示体１１、及びカバー１３を有するけれども、表示体１１が弁棒２１の先端２３に直接取付けられている点が、第一実施形態に示す弁開度表示装置１と異なる。ここで示す外ねじ式の仕切弁１０２は、弁が全閉となっても、弁棒２１の先端２３がハンドル１０３の位置よりも下がらないので、弁棒２１に直接、表示体１１を取付けても表示体１１がハンドル１０３又はヨーク１０４に当たることがない。
【００３８】
表示体１１の弁棒２１への取付け方法は特に限定されないので、表示体１１に弁棒２１を嵌めこみ可能な孔を設け、表示体１１の下部側面部に固定用のねじを穿設し、表示体１１を弁棒２１に嵌込んだ後、固定用のねじを用いて表示体１１を弁棒２１に固定してもよい。表示体１１を弁棒２１に取付ける方法として、接着剤、又は溶接を用いてもよいけれども、弁のメンテナンスを考慮すれば表示体１１は、弁棒２１に着脱可能に取付けることが望ましい。また、第二実施形態に示すように弁が全閉になっても弁棒２１の先端２３が、ハンドル１０３又はヨーク１０４よりも上にある場合は、弁棒２１に直接、表示体１１を取付けることが可能なことは上記の通りであるが、第一実施形態と同様、支持棒１２を利用可能なことは言うまでもない。これにより、弁の開閉をテレビカメラを介して視認するような場合に、表示体１１を視認しやすい場所に位置させることができる。
【００３９】
以上のように本発明の弁開度表示装置１、１０１は、構造が簡単であるので安価に製造可能であり、また容易に適用することができる。さらに既存の弁にも簡単に装着し使用することができる。また本実施形態では、外ねじ式の自動弁２及び外ねじ式の仕切弁１０２に装着した例を示したけれども、本発明の弁開度表示装置１、１０１は、これら弁に限定されることなく弁の開閉操作に伴い、弁棒２１が軸線方向に移動する弁に使用可能なことは言うまでもない。また、本発明の実施形態では、弁の開度表示位置を全開と全閉の２箇所とする例を示したけれども、中間開度を表す表示部があってもよいことは当然である。
【図面の簡単な説明】
【００４０】
【図１】本発明の第一実施形態としての弁開度表示装置１を自動弁２に取付けた状態を示す斜視図である。
【図２】図１の弁開度表示装置１の表示体１１の取付け方法を説明するための図である。
【図３】図１の弁開度表示装置１のカバー１３の斜視図である。
【図４】図１の弁開度表示装置１の表示体１１の第一変形例を示す斜視図である。
【図５】図１の弁開度表示装置１の表示体１１の第二変形例を示す斜視図である。
【図６】図１の弁開度表示装置１の表示体１１の第三変形例を示す斜視図である。
【図７】図１の弁開度表示装置１のカバー１３の変形例を示す側面図である。
【図８】本発明の第二実施形態としての弁開度表示装置１０１を仕切弁１０２に取付けた状態を示す側面図である。
【符号の説明】
【００４１】
１    弁開度表示装置
２    自動弁
１１  表示体
１２  支持棒
１３  カバー
１８  表示体の上面部
１９  表示体の底面部
２０  表示体の側面部
２１  弁棒
２３  弁棒の先端
３１  カバー本体
３６  開表示部
３７  閉表示部
４１  表示体
４２、４３  表示体を区分する直線
４４、４５、４６、４７  区分けされた領域
５１  表示体
５２、５３、５４、５５  区分けされた領域
６１  表示体
６２、６３、６４、６５  表示体を区分する直線
６６、６７、６８、６９  区分けされた領域
７０、７１、７２、７３  区分けされた領域
７４、７５、７６、７７  区分けされた領域
８１  カバー
８２  開表示部
８３  閉表示部
８４、８５  テープ
１０１  弁開度表示装置
１０２  仕切弁
【図１】
2007263145.tif 000003
【図２】
2007263145.tif 000004
【図３】
2007263145.tif 000005
【図４】
2007263145.tif 000006
【図５】
2007263145.tif 000007
【図６】
2007263145.tif 000008
【図７】
2007263145.tif 000009
【図８】
2007263145.tif 000010